(57)【要約】【課題】  瞬灯を防止できる車両用表示装置を提供すること。【解決手段】  始動スイッチによりエンジンが始動する車両に係る状態を表示する表示部と該表示部を照明する照明手段とを有する車両用表示装置において、照明手段による前記表示部の照明を制御する照明制御手段を有し、該照明制御手段は、始動スイッチの押下からエンジンの始動手段が始動するまでの時間が、所定の時間よりも短い場合は、少なくともエンジンの始動手段が始動するまで、照明手段が表示部を照明しないように制御する、ことを特徴とする車両用表示装置を提供する。【選択図】  図２
2005306193.tif 000002
【特許請求の範囲】
【請求項１】
始動スイッチによりエンジンが始動する車両に係る状態を表示する表示部と該表示部を照明する照明手段とを有する車両用表示装置において、
前記照明手段による前記表示部の照明を制御する照明制御手段を有し、
該照明制御手段は、前記始動スイッチの押下から前記エンジンの始動手段が始動するまでの時間が、所定の時間よりも短い場合は、少なくとも前記エンジンの始動手段が始動するまで、前記照明手段が前記表示部を照明しないように制御する、
ことを特徴とする車両用表示装置。
【請求項２】
始動スイッチによりエンジンが始動する車両に係る状態を表示する表示部と該表示部を照明する照明手段とを有する車両用表示装置の照明方法において、
前記始動スイッチの押下から前記エンジンの始動手段が始動するまでの時間が、所定の時間よりも短い場合、少なくとも前記エンジンの始動手段が始動するまで、前記照明手段は前記表示部を照明しないことを特徴とする車両用表示装置の照明方法。
【発明の詳細な説明】
【技術分野】
【０００１】
本発明は、自動車に備えられた車両用表示装置に関し、特に車両用表示装置を制御して照明する照明制御手段を備えた車両用表示装置及び車両用表示装置の照明方法に関する。
【背景技術】
【０００２】
自車両の走行速度やエンジンの回転数など、車両の状態を乗員に知らせるため、車両には計器装置が搭載される。計器装置は、視認性等の要請から、発光体によってその指針と目盛りを発光させる照明装置を備える。照明装置は、指針と目盛りとを別々の発光体で発光させることで、指針と文字板を高輝度で発光させることが可能となる。
【０００３】
しかしながら、別々の発光体で、指針と目盛りを発光させると、発光体を構成する部品の性能特性、組み立て誤差などにより、２つの発光体の発光時期にずれが生じることがある。指針と目盛りが不定なタイミングで発光すると、乗員等に不快感等を与えるおそれがある。このため、別々の発光体を一定の手順で発光させることができる計測装置の照明装置が提案された（例えば、特許文献１参照。）。
【０００４】
当該照明装置は、２つの発光装置のうち一方の発光体への電力供給を遅延させる遅延手段を有する。遅延手段により電力供給が遅延された発光体は発光が遅れるので、一定の手順で計測装置を発光させることができる。当該遅延手段を用いて、例えば指針を先に発光させれば、乗員が指針を鮮明に認識できる。
【特許文献１】特開平６−２０１４１０号公報
【発明の開示】
【発明が解決しようとする課題】
【０００５】
しかしながら、特許文献１記載の照明装置は、エンジン始動時に発光体を発光させていると、スタータを駆動することで生じる電圧変動により、発光輝度が変化してしまうという不都合がある。このため、スタータの駆動時は、輝度の変化を防止するため、照明装置の発光を中断する照明装置が実施されている。
【０００６】
ところで、エンジンの始動・停止操作の更なる簡便化を図るため、エンジンの始動・停止をプッシュボタンで行うプッシュスタートシステムが用いられている。プッシュスタートシステムでは、温度などエンジンの状態に応じてエンジンの始動が制御されるため、プッシュボタンの押下からエンジンの始動までの時間が一定とならない。一方、プッシュボタンの押下から照明装置が発光する発光時間までは、エンジンの状態にかかわらず一定となるように制御される。
【０００７】
プッシュスタートシステムにおいても照明装置が発光した後にスタータが始動することが多いが、上記したように、電圧変動による輝度の変化を防止するため、スタータが始動する前に発光体の発光は中断される。すなわち、発光を開始した照明装置は、スタータの始動の前に消灯する。しかしながら、スタータが始動する時間は一定でないため、発光から消灯までの時間が所定の時間よりも短い場合、照明装置が「瞬灯」したように見えてしまい、乗員に不快感・不安感を生じさせるという問題があった。
【０００８】
本発明は、上記問題に鑑み、瞬灯を防止できる車両用表示装置を提供することを目的とする。
【課題を解決するための手段】
【０００９】
上記問題を解決するため、本発明は、  始動スイッチによりエンジンが始動する車両に係る状態を表示する表示部と該表示部を照明する照明手段とを有する車両用表示装置において、照明手段による表示部の照明を制御する照明制御手段を有し、該照明制御手段は、始動スイッチの押下から前記エンジンの始動手段が始動するまでの時間が、所定の時間よりも短い場合は、少なくともエンジンの始動手段が始動するまで、照明手段が表示部を照明しないように制御することを特徴とする。エンジンの始動手段とは、例えばスタータモータであるが、照明手段の輝度の変化を生じさせるエンジンの始動手段全てをいう。
また、「少なくとも」エンジンの始動手段が始動するまで照明手段が表示部を照明しないので、エンジンの始動工程が終了した後に表示部を照明してもよいし、始動工程が終了してから所定の時間経過後に表示部を照明してもよい。
【００１０】
本発明によれば、始動スイッチの押下からエンジンの始動手段が始動するまでの時間が短い場合は、照明手段が表示部を照明しないので、瞬灯を防止した車両用表示装置を提供できる。
【００１１】
また、本発明は、始動スイッチによりエンジンが始動する車両に係る状態を表示する表示部と該表示部を照明する照明手段とを有する車両用表示装置の照明方法において、始動スイッチの押下からエンジンの始動手段が始動するまでの時間が、所定の時間よりも短い場合、少なくともエンジンの始動手段が始動するまで、照明手段は表示部を照明しないことを特徴とする。
【発明の効果】
【００１２】
瞬灯を防止できる車両用表示装置を提供することができる。
【発明を実施するための最良の形態】
【００１３】
以下、本発明を実施するための最良の形態について、添付図面を参照しながら実施例を挙げて説明する。本実施例では、スタータが始動する前に瞬灯するか否かを判定して、瞬灯する場合には、スタータが停止するまで車両用表示装置の発光体が点灯しないように制御する車両用表示装置について説明する。瞬灯する場合とは、車両用表示装置の照明を点灯してから、電圧変動による輝度の変化防止のために当該照明を消灯するまでの時間が、予め定めた所定の時間（以下、瞬灯判定時間と称す）よりも短い場合をいう。
【００１４】
図１は、車両用表示装置の点灯を制御する制御ブロック図の一例を示す。図１の点灯制御ブロック図は、電源ＥＣＵ３に電源の供給を開始するプッシュ式スタートスイッチ２、表示部４の点灯又は消灯を制御する照明制御手段７、指針や文字板等とそれを照明する照明手段１３を有する表示部４、エンジンの始動を制御するエンジンＥＣＵ５、表示部４やエンジンＥＣＵ５への電源供給を制御する電源ＥＣＵ３、とを有するように構成される。
【００１５】
プッシュ式スタートスイッチ２は、例えば押しボタン式のイグニッションスイッチであり、これを押下することで電源ＥＣＵ３が通電する。電源ＥＣＵ３は、車載装置への電力の供給を制御する。通電された電源ＥＣＵ３は、プッシュ式スタートスイッチ２がオフにされるまで車載装置への電源供給を制御するＩＧ状態となる。電源ＥＣＵ３は、ＩＧ状態となるとエンジンＥＣＵ５にエンジンの始動を指示する信号ＳＷを送信すると共に、照明制御手段７に、表示部４を点灯させる。
【００１６】
表示部４は、指針や文字板を用いて、車両の走行速度などの状態を表示する。表示部４は、例えば蛍光管やＬＥＤなどの自発光式の発光体で構成される照明手段１３を有し、指針や文字板を点灯する。本実施例では、照明手段１３は、指針用及び文字板用の２つの発光体で構成される。
【００１７】
エンジンＥＣＵ５は、エンジンの始動を制御する。エンジンＥＣＵ５が有する始動工程開始時間検出手段１５は、エンジンの状態に応じてスタータを始動する時刻（始動開始時刻）を検出する。また、始動開始時刻を検出したエンジンＥＣＵ５は、始動開始時刻を通知する信号ＳＴを照明制御手段７に送信する。これにより、照明制御手段７は、ＩＧ状態が開始してからスタータが始動するまでの時間を知ることができる。
【００１８】
エンジンＥＣＵ５は、始動開始時刻にスタータを始動する（以下、スタータが始動してからスタータが停止するまでの状態をＳＴ状態という）。また、エンジンＥＣＵ５は、イグニッションパルスやオルタネータ出力などに基づいてエンジンの駆動状態を検出し、エンジンが駆動していると判断したときに、完爆信号を出力する。
【００１９】
照明制御手段７は、表示手段４が有する照明手段１３の点灯・消灯を制御する。照明制御手段７は、点灯開始時間情報ＤＢ１１と時間差抽出手段１２とを有する。点灯開始時間情報ＤＢ１１は、ＩＧ状態となってから照明手段１３の点灯を開始する時間を記録したデータベースである。例えば、指針と文字板とを異なるタイミングで点灯する場合には、指針と文字板とに対応づけて点灯開始時間が記録されている。時間差抽出手段１２は、始動工程開始時間検出手段１５により検出された始動工程開始時間と、点灯開始時間との時間差を抽出する。照明制御手段７は、時間差抽出手段１２により抽出された時間差に応じて、表示部４の照明手段１３の点灯を制御する。照明制御手段７が照明手段１３を点灯又は消灯するタイミングについて以下で詳述する。
【００２０】
照明手段１３を点灯するタイミングについて、図２のフローチャート図及び図３の制御タイムチャートに基づき説明する。図２は、照明制御手段７が、照明手段１３の点灯を制御する処理を示すフローチャート図である。図３は、ＩＧ状態又はＳＴ状態に応じて、指針及び文字板が点灯される制御タイムチャートを示す。図３の制御タイムチャートでは、指針の点灯開始時間をＴｐ、文字板の点灯開始時間をＴｄとした。したがって、ＩＧ状態となってから又はＳＴ状態が終了してから、指針が点灯するまでの時間はＴｐ、文字板が点灯するまでの時間をＴｄとなる。また、始動工程開始時間検出手段１５により検出された始動工程開始時間に基づき、ＩＧ状態となってからＳＴ状態になるまでの時間を時間Ｔｓｔと称す。なお、プッシュ式スタートスイッチ２が押下された時刻を時刻ｔ０とする。
【００２１】
ステップＳ１０１では、ＩＧ状態となったか否かが判定される。プッシュ式スタートスイッチ２が押下されると電源ＥＣＵ３はＩＧ状態となり、電源ＥＣＵ３はエンジンＥＣＵ５に、エンジンの始動を指示する信号ＳＷを送信する。エンジンＥＣＵ５の始動工程開始時間検出手段１５は、始動工程開始時間を検出し、ＳＴ信号を照明制御手段７へ送信する。照明制御手段７は、ＳＴ信号を受信して、時間Ｔｓｔを得る。
【００２２】
ＩＧ状態となると（ステップＳ１０１のＹ）、ステップＳ１０２において、指針が瞬灯するか否か判定される。照明制御手段７が有する時間差抽出手段１２は、図３の「Ｔｓｔ−Ｔｐ」を抽出する。指針が点灯している時間が瞬灯判定時間よりも短い場合には、瞬灯すると判定する。瞬灯すると判定された場合（ステップＳ１０２のＮ）には、指針及び文字板は点灯せずに、ステップＳ１０８以降の処理を行う。したがって、指針が瞬灯すると判定された場合は、図３の制御タイムチャートにおいて、パルスＰ１及びＰ２は現れない。
【００２３】
指針が瞬灯しないと判定された場合には（ステップＳ１０２のＹ）、ステップＳ１０３において、文字板が瞬灯するか否か判定される。照明制御手段７が有する時間差抽出手段１２は、「Ｔｓｔ−Ｔｄ」を抽出する。文字板が点灯している時間が瞬灯判定時間よりも短い場合には、瞬灯すると判定する。文字板が瞬灯すると判定された場合には（ステップＳ１０３のＮ）、指針が瞬灯しないと判定されても、指針及び文字板を点灯せずに、ステップＳ１０８以降の処理を行う。したがって、文字板が瞬灯すると判定された場合は、図３の制御タイムチャートにおいて、パルスＰ２及びＰ１は現れない。
【００２４】
文字板が瞬灯しないと判定された場合には（ステップＳ１０３のＹ）、ステップＳ１０４において、照明制御手段７が、時間Ｔｐ経過した時刻ｔ１に、指針を点灯する。また、ステップＳ１０５において、照明制御手段７が、時間Ｔｄ経過した時刻ｔ２に、文字板を点灯する。
【００２５】
次いで、エンジンＥＣＵ５は、ＳＴ信号として照明制御手段７に送信した時刻ｔ３になると、スタータを始動する。ＳＴ状態では、電圧変動により照明手段１３の発光輝度が変化してしまうので、発光輝度の変化を防止するため、照明制御手段７は、時刻ｔ３となると指針及び文字板を消灯する（ステップＳ１０６及びＳ１０７）。
【００２６】
指針及び文字板を消灯しても、指針及び文字板は、瞬灯判定時間よりも長い時間点灯していたので、ＳＴ状態の開始に合わせて消灯しても瞬灯しない。また、時刻ｔ３からｔ４のＳＴ状態では、指針及び文字板が消灯され、発光輝度の変化を防止できる。
【００２７】
次いで、ステップＳ１０８では、ＳＴ状態が終了したか否か判定される。照明制御手段７は、エンジンＥＣＵ５から完爆信号を受信すると、ＳＴ状態が終了したと判定する。
【００２８】
ＳＴ状態が終了すると（ステップＳ１０８のＹ）、又は、指針又は文字板が瞬灯すると判定された場合には（ステップＳ１０２のＮ、ステップＳ１０３のＮ）、ステップＳ１０９において、照明制御手段７が、時刻ｔ５に指針を点灯する。また、ステップＳ１１０において、時刻ｔ６に文字板を点灯する。以上で図２のフローチャート図の処理が終了する。
【００２９】
図４は、指針又は文字板が点灯された車両用表示装置の一例を示す。図４（ａ）は、表示部４を点灯する照明手段１３が全て消灯されている状態を示す。図４（ｂ）は、照明手段１３が指針のみ点灯している状態を示す。図４（ｃ）は、照明手段１３が、指針及び文字板を点灯している状態を示す。指針のみが点灯された状態では、水温計の指針２１、速度計の指針２２、タコメータの指針２３、燃料計の指針２４、が点灯される。次いで、文字板が点灯されると、水温計２５、速度計２６、タコメータ２７、燃料計２８、の目盛りが点灯される。以下、図４（ａ）を全消灯状態、図４（ｂ）を指針点灯状態、図４（ｃ）を全点灯状態、と称す。
【００３０】
図２のようなフローチャート図において、指針と文字板のいずれもが瞬灯しないと判定された場合の車両用表示装置は、時刻ｔ０〜ｔ１までが全消灯状態に、時刻ｔ１〜ｔ２までが指針点灯状態、時刻ｔ２〜ｔ３までが全点灯状態、時刻ｔ３〜ｔ５までが全消灯状態、時刻ｔ５〜ｔ６までが指針点灯状態、時刻ｔ６以降が全点灯状態、となる。
【００３１】
また、図２のようなフローチャート図において、指針と文字板のいずれかが瞬灯すると判定された場合には、図５（ａ）のような制御タイムチャートとなる。指針と文字板のいずれかが瞬灯する場合の車両用表示装置は、時刻ｔ０〜ｔ５までが全消灯状態、時刻ｔ５〜ｔ６までが指針点灯状態、時刻ｔ６以降が全点灯状態、となる。指針と文字板のいずれかが瞬灯すると判定された場合には指針も文字板も点灯されないので、始動工程開始時間によっては指針のみが表示されるといったことがなく、統一感のある車両用表示装置の照明が可能となる。なお、例えば、文字板の瞬灯を指針の瞬灯よりも先に判定し、文字板が瞬灯すると判定された場合には、指針の瞬灯を判定せず、文字板と指針は共に点灯しないようにしてもよい。
【００３２】
また、車両用表示装置をどのような処理で照明するかは設計事項であるので、指針が瞬灯しないと判定されたら指針を点灯させ、文字板が瞬灯すると判定されたら文字板は点灯しないというように、指針のみを点灯してもよい。図５（ｂ）は、指針だけを点灯する場合の制御タイムチャートを示す。図５（ｂ）では指針のみが点灯されるので、パルスＰ１が現れる。指針のみ点灯する場合の車両用表示装置は、時刻ｔ０〜ｔ１が全消灯状態、時刻ｔ１〜ｔ３までが指針点灯状態、時刻ｔ３〜ｔ５までが全消灯状態、時刻ｔ５〜ｔ６が指針点灯状態、時刻ｔ６以降が全点灯状態、となる。
【００３３】
また、瞬灯判定時間は、指針と文字板で異なっていてもよい。例えば、指針の瞬灯判定時間を、文字板の瞬灯判定時間よりも短くした場合、文字板のみが瞬灯しないと判定され得る。図５（ｃ）は、文字板だけを点灯する場合の制御タイムチャートを示す。図５（ｃ）では文字版のみが点灯されるので、パルスＰ２が現れる。文字板のみ点灯する場合の車両用表示装置は、時刻ｔ０〜ｔ２が全消灯状態、時刻ｔ２〜ｔ３までが文字板のみが点灯する状態、時刻ｔ３〜ｔ５までが全消灯状態、時刻ｔ５〜ｔ６が指針点灯状態、時刻ｔ６以降が全点灯状態、となる。
【００３４】
なお、点灯開始時間情報ＤＢには、種々のＴｐ及びＴｄを記憶しておけるので、例えばＳＴ状態となる前のＴｐ、ＴｄとＳＴ状態後のＴｐ、Ｔｄとが異なっていてもよい。また、時刻ｔ４で指針及び文字板を同時に点灯してもよいし、時刻ｔ５又はｔ６で同時に点灯してもよい。また、乗員が予め点灯開始時間情報ＤＢやいわゆるスマートキーに、Ｔｐ、Ｔｄを設定できるようにしてもよい。
【００３５】
本実施例によれば、指針又は文字板が瞬灯すると判定された場合には、ＳＴ状態が終了するまで指針及び文字板を点灯しないので、瞬灯を防止できる。また、瞬灯しないと判定された場合に点灯された指針及び文字板は、瞬灯判定時間よりも長い時間点灯するので、指針及び文字板の瞬灯を防止できる。また、ＳＴ状態では、指針及び文字板を消灯するので、電圧変動による輝度の変化を防止できる。本実施例では、表示部４として指針と文字板を対象に説明したが、車両の状態をデジタル表示する車両用表示装置や、発光体を備えた他の車載装置に適用してもよい。
【図面の簡単な説明】
【００３６】
【図１】車両用表示装置の点灯を制御する制御ブロック図の一例である。
【図２】表示部の点灯を制御する処理を示すフローチャート図である。
【図３】指針及び文字板が点灯される制御タイムチャートの一例である。
【図４】点灯された車両用表示装置の一例である。
【図５】指針及び文字板が点灯される制御タイムチャートの一例である。
【符号の説明】
【００３７】
２      プッシュ式スタートスイッチ
３      電源ＥＣＵ
４      表示部
５      エンジンＥＣＵ
７      照明制御手段
１１    点灯開始時間情報ＤＢ
１２    時間差抽出手段
１３    照明手段
１５    始動工程開始時間検出手段
２１    水温計の指針
２２    速度計の指針
２３    タコメータの指針
２４    燃料計の指針
２５    水温計
２６    速度計
２７    タコメータ
２８    燃料計
【図１】
2005306193.tif 000003
【図２】
2005306193.tif 000004
【図３】
2005306193.tif 000005
【図４】
2005306193.tif 000006
【図５】
2005306193.tif 000007